(57)【要約】【課題】バッテリが取付けられるバッテリ台座をタンクの側面部に固定−取外しするにあたり、労力の低減を図る。【解決手段】バッテリ台座１０を、タンク前側面部１ａに固着された取付ブラケット５に下側固定用ボルト８を介して着脱自在にボルト固定する構成にすると共に、バッテリ台座１０に、バッテリ４が載置される底面部１０ａよりも下方に突出する係合突片１０ｆを設ける一方、取付ブラケット５の上面部５ａにスリット５ｅを開設し、前記バッテリ台座１０の係合突片１０ｆを取付ブラケット５のスリット５ｅに挿入することで、ボルト固定されていない状態のバッテリ台座１０を取付ブラケット５に仮保持できる構成にした。【選択図】図３
2008265360.tif 000002
【特許請求の範囲】
【請求項１】
タンクの側方にバッテリを配してなる建設機械において、前記バッテリが取付られるバッテリ台座を、タンク側面部に固着された取付ブラケットに着脱自在にボルト固定する構成にすると共に、前記バッテリ台座に、取付ブラケットに形成された係合受部に係合する係合部を設け、該バッテリ台座の係合部を取付ブラケットの係合受部に係合せしめることで、ボルト固定されていない状態のバッテリ台座を取付ブラケットに仮保持できる構成にしたことを特徴とする建設機械におけるバッテリ台座の固定構造。
【請求項２】
取付ブラケットは、バッテリ台座の底面部に当接する台座当接面部を備えると共に、バッテリ台座の係合部は、バッテリ台座の底面部よりも下方に突出する係合突片であり、取付ブラケットの係合受部は、台座当接面部に開設されて前記バッテリ台座の係合突片が挿入されるスリットであることを特徴とする請求項１に記載の建設機械におけるバッテリ台座の固定構造。
【発明の詳細な説明】
【技術分野】
【０００１】
本発明は、油圧ショベル等の建設機械におけるバッテリ台座の固定構造の技術分野に属するものである。
【背景技術】
【０００２】
一般に、油圧ショベル等の建設機械には、各種電装機器類に電力を供給するべくバッテリが搭載されるが、該バッテリを建設機械に配置するにあたり、例えばミニショベルのような小型の機種にあっては、架台フレーム上にバッテリの配置スペースを確保できない場合があり、この様な場合に、従来、バッテリを作動油タンクや燃料タンクのタンク側面部に取付けるようにした技術が知られている（例えば、特許文献１参照）。このものでは、バッテリが取付けられたバッテリ台座を、タンク側面部に固着されたねじ座に着脱自在にボルト固定することによって、タンク側面部にバッテリが取付けられる構成になっている。
【特許文献１】特開２００５−４１３１６号公報
【発明の開示】
【発明が解決しようとする課題】
【０００３】
ところで、前記タンク側面部にバッテリを取付けるように構成したものでは、バッテリが架台フレームから浮いた状態となり、これによって、バッテリの下方の架台フレームを他の部材装置の配置スペースとして確保できることになるが、このものにおいて、メンテナンス時等にバッテリを着脱する場合には、バッテリが落下しないように作業者がバッテリごとバッテリ台座を保持しながら、バッテリ台座とタンク側面部とをボルトで固定−取外ししなければならず、労力を要し、作業性に劣るという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、タンクの側方にバッテリを配してなる建設機械において、前記バッテリが取付られるバッテリ台座を、タンク側面部に固着された取付ブラケットに着脱自在にボルト固定する構成にすると共に、前記バッテリ台座に、取付ブラケットに形成された係合受部に係合する係合部を設け、該バッテリ台座の係合部を取付ブラケットの係合受部に係合せしめることで、ボルト固定されていない状態のバッテリ台座を取付ブラケットに仮保持できる構成にしたことを特徴とする建設機械におけるバッテリ台座の固定構造である。
請求項２の発明は、取付ブラケットは、バッテリ台座の底面部に当接する台座当接面部を備えると共に、バッテリ台座の係合部は、バッテリ台座の底面部よりも下方に突出する係合突片であり、取付ブラケットの係合受部は、台座当接面部に開設されて前記バッテリ台座の係合突片が挿入されるスリットであることを特徴とする請求項１に記載の建設機械におけるバッテリ台座の固定構造である。
【発明の効果】
【０００５】
請求項１の発明とすることにより、バッテリ台座を取付ブラケットに仮保持した状態で、バッテリ台座のボルト固定−取外しを行えることになり、而して、作業者がバッテリごとバッテリ台座を保持しながらボルト固定−取外し作業を行う必要がなくなって、労力を大幅に低減でき、作業効率の向上に大きく貢献できる。さらに、前記仮保持されたバッテリ台座は、取付ブラケットに対して位置決めされた状態になるから、ボルト固定するときの位置合せが容易で、更なる作業効率の向上に貢献できる。また、建設機械の稼働中に、万一、機体振動等によりバッテリ台座を固定するボルトが緩んだとしても、バッテリ台座は取付ブラケットに仮保持された状態になっているから、バッテリ台座ごとバッテリが落下してしまう惧れを確実に回避でき、而して、信頼性の高いバッテリ台座の固定構造とすることができる。
請求項２の発明とすることにより、バッテリ台座を取付ブラケットに安定した状態で仮保持することができる。
【発明を実施するための最良の形態】
【０００６】
次に、本発明の実施の形態について、図面に基づいて説明する。図面において、１は図示しない油圧ショベルに搭載される作動油タンクであって、該作動油タンク１は、油圧ショベルの上部旋回体の架台となる旋回フレーム２に、取付座３を介して取付支持されている。
【０００７】
前記作動油タンク１は、本実施の形態では、前後左右の側面部および上下面部を有した略直方体形状のものであり、そして、該作動油タンク１の前後左右の何れかの側面部の側方にバッテリ４が配されるが、該バッテリ４が配される側の側面部をタンク前側面部１ａとして説明すると、該タンク前側面部１ａの上下方向中間部には、後述する取付ブラケット５が溶接等により固着されている。また、作動油タンク１の上面部１ｂの前部には、後述する上側固定用ボルト６が螺入される左右一対のボルト座７が固着されている。尚、本実施の形態において、前後左右の方向は、便宜上のものであって、実際の方向を示すものではなく、また、方向を限定するものでもない。
【０００８】
前記取付ブラケット５は、左右方向に延び、且つ後縁部がタンク前側面部１ａに固着される上面部５ａおよび下面部５ｂと、該上面部５ａおよび下面部５ｂの前縁部同士を連結する側面部５ｃとを有した縦断面略コ字形状のものであって、側面部５ｃには、後述する下側固定用ボルト８が貫通するボルト貫通孔５ｄが穿設されると共に、該ボルト貫通孔５ｄと同芯部位に下側固定用ボルト８が螺合するナット９が溶着されている（本実施の形態では、ボルト貫通孔５ｄおよびナット９は、二個づつ設けられている）。さらに、上面部５ａは、本発明の台座当接面部に相当するが、該上面部５ａの後縁部（タンク前側面部１ａに固着される側の端縁部）の左右方向略中央部には、後述するバッテリ台座１０の係合突片（本発明の係合部に相当する）１０ｆが挿入される左右方向に細長いスリット（本発明の係合受部に相当する）５ｅが開設されている。
【０００９】
一方、前記バッテリ台座１０は、バッテリ４を取付支持するための台座であって、該バッテリ台座１０は、バッテリ４が載置される底面部１０ａと、該底面部１０ａの前後両縁部から上方に向けてそれぞれ折曲形成される前面部１０ｂおよび後面部１０ｃと、これら前面部１０ｂおよび後面部１０ｃ間に支架される補強板１０ｄとを有すると共に、底面部１０ａの左右両縁部には、バッテリ固定用のフックボルト１１のフック部が係止される係止片１０ｅが左右外方に向けて突出形成されている。そして、バッテリ台座１０の底面部１０ａにバッテリ４を載置した状態で、前記係止片１０ｅに係止せしめたフックボルト１１を、バッテリ４の上部前側角部に当てがわれる当て板１２にダブルナット１３で固定することにより、バッテリ４は、バッテリ台座１０に取付支持されるように構成されている。
【００１０】
さらに、前記バッテリ台座１０の後面部１０ｃの左右方向略中央部には、後面部１０ｃの下端から垂下する状態で、底面部１０ａよりも下方に突出する係合突片１０ｆが形成されているが、該係合突片１０ｆは、前記取付ブラケット５の上面部５ａに開設のスリット５ｅに、殆どガタのない状態で係合できるように寸法設定されている。そして、バッテリ台座１０は、作動油タンク１に対して、後面部１０ｃがタンク前側面部１ａに僅かな間隙を存して対向し（或いはタンク前側面部１ａに面接触し）、且つ底面部１０ａの後部が前記取付ブラケット５の上面部５ａに上側から面接触状態で当接するように組付けられるが、この場合に、前記バッテリ台座１０の係合突片１０ｆを取付ブラケット５のスリット５ｅに挿入せしめることにより、バッテリ台座１０は取付ブラケット５に保持された状態になって取付ブラケット５から脱落することなく、而して、後述する上側固定用ボルト６および下側固定用ボルト８によるボルト固定がなされていない状態のバッテリ台座１０を、位置決めされた状態で取付ブラケット５に仮保持できる構成になっている。
【００１１】
さらに、バッテリ台座１０の底面部１０ａには、バッテリ台座１０を取付ブラケット５にボルト固定するための下側取付部１４が溶接等により固着されている。該下側取付部１４は、バッテリ台座１０を前述したようにして取付ブラケット５に仮保持せしめた状態で、該取付ブラケット５の側面部５ｃに面接触状態で当接する下側取付辺１４ａと、該下側取付辺１４ａの左右両端側から折曲形成された補強辺１４ｂとを有していると共に、上記下側取付辺１４ａには、下側固定用ボルト８が貫通するボルト貫通溝１４ｃが穿設されている。そして、該ボルト貫通溝１４ｃから挿入せしめた下側固定用ボルト８を、取付ブラケット５の側面部５ｃのボルト貫通孔５ｄを貫通させてナット９に螺合することにより、下側取付部１４を取付ブラケット５にボルト固定できるようになっている。
【００１２】
また、バッテリ台座１０の後面部１０ｃの上端部からは、前記作動油タンク１の上面部１ｂに固着のボルト座７に当てがわれる左右一対の上側取付片１０ｇが突出形成されている。該上側取付片１０ｇには、上側固定用ボルト６が貫通するボルト貫通孔１０ｈが開設されており、そして、該上側取付片１０ｇをボルト座７に当てがった状態で、上側取付片１０ｇのボルト貫通孔１０ｈから挿入した上側固定用ボルト６をボルト座７に螺合せしめることで、バッテリ台座１０の上側取付片１０ｇを作動油タンク１のボルト座７にボルト固定できるようになっている。
【００１３】
叙述の如く構成された本形態において、バッテリ台座１０は、バッテリ４が取付られた状態で、作動油タンク１に固着された取付ブラケット５およびボルト座７に、上側固定用ボルト６および下側固定用ボルト８によって着脱自在にボルト固定されることになるが、このものにおいて、バッテリ台座１０には、バッテリ４が載置される底面部１０ａよりも下方に突出する係合突片１０ｆが形成される一方、取付ブラケット５には、バッテリ台座１０の底面部１０ａが当接する上面部５ａにスリット５ｅが形成されており、そして、上記バッテリ台座１０の係合突片１０ｆを取付ブラケット５のスリット５ｅに挿入せしめることによって、ボルト固定されていない状態のバッテリ台座１０を取付ブラケット５に仮保持できることになる。
【００１４】
この結果、バッテリ台座１０を作動油タンク１に取付ける場合には、バッテリ台座１０を取付ブラケット５に仮保持してから、上側固定用ボルト６および下側固定用ボルト８によるボルト固定を行えばよく、また、バッテリ台座１０を作動油タンク１から取外す場合には、上側固定用ボルト６および下側固定用ボルト８を外しても、バッテリ台座１０は取付ブラケット５に仮保持されているから脱落することなく、而して、上側固定用ボルト６および下側固定用ボルト８の固定−取外し作業を行うにあたり、作業者がバッテリ４ごとバッテリ台座１０を保持しながら作業する必要がなくなって、労力を大幅に低減でき、作業効率の向上に大きく貢献できる。
【００１５】
しかも、前記バッテリ台座１０を仮保持するにあたり、バッテリ台座１０に、バッテリ４が載置される底面部１０ａよりも下方に突出する係合突片１０ｆを形成する一方、取付ブラケット５は、バッテリ台座１０の底面部１０ａに当接する上面部５ａを備え、そして該上面部５ａに開設されたスリット５ｅに上記バッテリ台座１０の係合突片１０ｆが挿入される構成であるから、バッテリ台座１０を取付ブラケット５に安定した状態で仮保持することができる。
【００１６】
さらに、前記仮保持されたバッテリ台座１０は、取付ブラケット５に対して位置決めされた状態になるから、上側固定用ボルト６および下側固定用ボルト８によるボルト固定を行う場合に、作動油タンク１側のボルト座７とバッテリ台座１０側のボルト貫通孔１０ｈ、および取付ブラケット５側のボルト貫通孔５ｄとバッテリ台座１０側のボルト貫通溝１４ｃとの位置合せが容易で、微調整する程度でよく、更なる作業効率の向上に貢献できる。
【００１７】
また、油圧ショベルの稼働中に、万一、機体振動等により上側固定用ボルト６や下側固定用ボルト８が緩んだとしても、バッテリ台座１０は取付ブラケット５に仮保持された状態になっているから、バッテリ台座１０ごとバッテリ４が落下してしまう惧れを確実に回避でき、而して、信頼性の高いバッテリ台座１０の固定構造とすることができる。
【００１８】
尚、本発明は上記実施の形態に限定されないことは勿論であって、上記実施の形態における係合突片およびスリットを、複数設けるように構成することもできる。また、バッテリ台座に形成される係合部、および取付ブラケットに形成される係合受部としては、上記実施の形態の係合突片およびスリットに限定されることなく、例えば、取付ブラケットに係合突片を形成する一方、該係合突片が係合するスリットをバッテリ台座に形成する構成にしたり、或いは、上記実施の形態とは形状の異なる係合部、係合受部にすることもできる。
また、本発明は、油圧ショベルだけでなく、各種建設機械において、作動油タンクや燃料タンクの側方にバッテリを配する場合に実施できることは勿論である。
【図面の簡単な説明】
【００１９】
【図１】作動油タンクにバッテリを固定した状態を示す斜視図である。
【図２】作動油タンクにバッテリを固定した状態を示す正面図である。
【図３】（Ａ）は図２のＸ−Ｘ断面図、（Ｂ）は（Ａ）の要部拡大図である。
【図４】作動油タンクの斜視図である。
【図５】（Ａ）は上方から視たバッテリ台座の斜視図、（Ｂ）は下方から視たバッテリ台座の斜視図である。
【符号の説明】
【００２０】
１      作動油タンク
４      バッテリ
５      取付ブラケット
５ａ    上面部
５ｅ    スリット
１０    バッテリ台座
１０ａ  底面部
１０ｆ  係合突片
【図１】
2008265360.tif 000003
【図２】
2008265360.tif 000004
【図３】
2008265360.tif 000005
【図４】
2008265360.tif 000006
【図５】
2008265360.tif 000007